(57)【特許請求の範囲】
【請求項１】
ローカルネットワークに設置され、オペレータネットワーク装置と通信を行うオペレータネットワーク通信手段と、
前記ローカルネットワークに設置された他基地局装置に対して前記オペレータネットワーク装置の代理として通信を行うオペレータネットワーク代理手段と、
前記オペレータネットワーク通信手段により取得したパラメータ情報のうち、前記他基地局装置に対して使用するパラメータ情報を管理するパラメータ管理手段と、を備え、
前記オペレータネットワーク代理手段は、前記パラメータ管理手段が管理するパラメータ情報を用いて、前記他基地局装置への装置単位のメッセージを生成し、前記メッセージを前記他基地局装置に送信する、
基地局装置。
【請求項２】
前記他基地局装置と前記オペレータネットワーク装置の間で通信を行う際に、メッセージ及びユーザデータの識別子の変換を行う識別子変換手段を備える、
請求項１記載の基地局装置。
【請求項３】
前記パラメータ管理手段は、前記パラメータ情報を任意に変更可能とする、
請求項１記載の基地局装置。
【請求項４】
前記オペレータネットワーク代理手段は、前記他基地局装置から受信したメッセージ及びユーザデータのうち、装置単位のメッセージを終端し、応答が要求される場合には前記メッセージを生成して前記他基地局装置に送信する、
請求項１記載の基地局装置。
【請求項５】
前記オペレータネットワーク代理手段は、前記他基地局装置の前記オペレータネットワーク装置への登録及びセットアップのためのメッセージを終端し、前記オペレータネットワーク装置には転送しない、
請求項１記載の基地局装置。
【請求項６】
前記オペレータネットワーク代理手段は、サービスの提供を許可する他基地局装置を任意に設定可能とし、前記許可した他基地局装置以外の他基地局装置がサービスを要求する場合、サービスを拒絶する、
請求項１記載の基地局装置。
【請求項７】
前記オペレータネットワーク代理手段は、接続する他基地局装置の設置可能位置を任意に設定可能とし、前記接続した他基地局装置が前記設置可能位置以外である場合、サービスを拒絶する、
請求項１記載の基地局装置。
【請求項８】
前記オペレータネットワーク代理手段は、前記他基地局装置から受信したメッセージ及びユーザデータのうち、ユーザ単位のメッセージ及びユーザデータを、前記識別子変換手段に転送し、
前記識別子変換手段は、前記ユーザ単位のメッセージ及びユーザデータのユーザ識別子を、基地局装置と前記他基地局装置との間で使用されるユーザ識別子から、前記オペレータネットワーク装置と基地局装置との間で使用されるユーザ識別子に変換して、前記オペレータネットワーク通信手段に転送し、
前記オペレータネットワーク通信手段は、前記ユーザ単位のメッセージ及びユーザデータを、基地局装置から前記オペレータネットワーク装置あてのメッセージ及びユーザデータに変換して、前記オペレータネットワーク装置に送信する、
請求項２記載の基地局装置。
【請求項９】
前記オペレータネットワーク通信手段は、オペレータネットワーク装置から受信したメッセージ及びユーザデータのうち、他基地局装置でサービスを受けるユーザあてのメッセージ及びユーザデータを、前記識別子変換手段に転送し、
前記識別子変換手段は、前記他基地局装置でサービスを受けるユーザあてのメッセージ及びユーザデータのユーザ識別子を、前記オペレータネットワーク装置と基地局装置との間で使用されるユーザ識別子から、基地局装置と前記他基地局装置との間で使用されるユーザ識別子に変換して、前記オペレータネットワーク代理手段に転送し、
前記オペレータネットワーク代理手段は、前記他基地局装置でサービスを受けるユーザあてのメッセージ及びユーザデータを、基地局装置から前記他基地局装置あてのメッセージ及びユーザデータに変換して、前記他基地局装置に送信する、
請求項２記載の基地局装置。
【請求項１０】
前記オペレータネットワーク通信手段は、基地局装置の初期化及びサービス停止を指示するメッセージを前記オペレータネットワーク装置から受信した場合、前記オペレータネットワーク代理手段に対して、全ての他基地局装置に初期化及びサービス停止を指示するメッセージを生成するよう指示する、
請求項１記載の基地局装置。
【請求項１１】
前記識別子変換手段、前記パラメータ管理手段、又は前記オペレータネットワーク代理手段は、その機能を有効又は無効とすることが可能な、
請求項１記載の基地局装置。
【請求項１２】
前記オペレータネットワーク代理手段は、基地局装置に具備されるローカルネットワークゲートウェイの通信インタフェースを用いて前記他基地局装置と通信する、
請求項１記載の基地局装置。
【請求項１３】
前記他基地局装置は、基地局装置を前記オペレータネットワーク装置とみなして通信を行う、
請求項１記載の基地局装置。
【請求項１４】
ローカルネットワークに設置され、オペレータネットワーク装置と通信を行う基地局装置の通信方法であって、
前記通信によりパラメータ取得を行うステップと、
前記ローカルネットワークに設置された他基地局装置に対して、前記パラメータのうち前記他基地局装置のためのパラメータを用いてオペレータネットワーク装置の代理動作を行うステップと、
を有する基地局装置の通信方法。
【発明の詳細な説明】
【技術分野】
【０００１】
本発明は、基地局装置及び基地局装置の通信方法に関する。
【背景技術】
【０００２】
近年、携帯電話を用いた通信において、室内エリアの不感地帯を補完するため、HeNB（Home eNodeB）と呼ばれる小型基地局装置の開発が行われている。
【０００３】
HeNBは、宅内、企業内及びショッピングモール等での使用が想定されている。HeNBを設置する場合、起動時にオペレータネットワーク内の管理装置（以下、HeMSと称する。）との間で登録処理を実施し、必要なコンフィグレーション情報を取得する必要がある。また、起動時以外にもHeNBとHeMS間では周期的にアラームやパフォーマンスに関する管理情報のやり取りを行う必要がある。
【０００４】
起動時に、HeNBは、呼制御装置（以下、MMEと称する。）との間で装置レベルのS1コネクション確立を行う必要がある。ローカルネットワーク内の通信機器と移動局（以下、UEと称する。）がオペレータネットワークを経由せず直接通信を行うために、HeNBでのLocal IP Access（以下、LIPAと称する。）機能の規格化が3GPPで進められている。
【０００５】
HeNBは、起動時にHeMSを見つけて登録処理を行う。また、MMEとの間でS1コネクションを確立する。HeNBは、HeMSへの登録完了後、HeMSからパラメータ情報を取得する。また、起動完了後も、HeNBはアラーム報告及びパフォーマンス情報等の管理情報について、HeMSとの間でやり取りを行う。
【０００６】
このような、起動時にオペレータネットワーク内のHeMSとの間で登録処理を実施し、必要なコンフィグレーション情報を取得する手法として、非特許文献１−３に示す方法が知られている。
【０００７】
以下、本明細書で用いる用語・略語について説明する。
【０００８】
EPC（Evolved Packet Core）：オペレータネットワーク装置の総称をいう。MME、S-GW、HSS、P-GWなどが含まれる。
【０００９】
HeMS（Home eNodeB Management System）は、HeNBの管理を行う装置である。HeMSは、HeNBとの間で装置管理のためのメッセージのやり取りを行う。
【００１０】
HeNB（Home eNodeB）は、家庭内、企業内等での使用が想定される、小さなサービスエリア（セル）を持つ小型基地局である。
【００１１】
HSS（Home Subscriber Server）は、UEの契約情報等を管理する装置である。
【００１２】
L-GW（Local Gateway）は、HeNBがLocal Network内の機器と接続を行うためのゲートウェイ装置である。3GPPでは、LIPA（Local IP Access）機能として検討が行われている。
【００１３】
MME（Mobility Management Entity）は、HeNBの呼制御を行う装置である。MMEは、HeNBとの間で呼制御のためのメッセージのやり取りを行う。
【００１４】
P-GW（PDN Gateway）は、オペレータネットワークがPDN（Public Domain Network）と接続を行うためのゲートウェイである。
【００１５】
SeGW（Security Gateway）は、HeNBと間でIPsecトンネルを確立する。
【００１６】
S-GW（Serving Gateway）は、HeNBが、オペレータネットワークとユーザデータのやり取りをするためのゲートウェイである。
【００１７】
TR-069は、HeNBとHeMS間の通信に使用されるプロトコルである。Broad Band Forumで規定される。
【００１８】
従来のHeNBの起動プロシージャは、以下の通りである。
【００１９】
図１は、従来のHeNBの起動手順を示す図である。図１は、TS32.593 V10.0.0（5.1.1 Figure 5-1）より抜粋したDiscovery and registration proceduresを示す。
【００２０】
図１に示すように、HeNBは、まず、フェーズ１で、Serving HeMSを見つけるためのプロシージャを実施する（Discovery of Serving HeMS procedure）。
【００２１】
HeNBはServing HeMSのIPアドレスを取得すると、Serving HeMSとの間にセキュリティで保護されたIP接続を確立する。
【００２２】
そして、フェーズ２で、Serving HeMSに登録を完了させる（Registration with Serving HeMS procedure）。
【００２３】
その後、フェーズ３で、HeNBはMMEとの間でS1 setupプロシージャを実施し、MMEとの装置レベルでのコネクションを確立する（Registration with MME（S1 Setup）procedure）。また、HeNBはServing HeMSへの登録完了後、HeNBのコンフィグレーションを取得するためのプロシージャを実施する。
【００２４】
次に、HeNBが、Serving HeMSの探索を行うプロシージャについて説明する。
【００２５】
図２は、従来のServing HeMSを見つけるためのプロシージャを示す図である。図２は、TS32.593 V10.0.0（5.1.2.2 Figure 5-2）より抜粋したServing HeMS Discovery via Initial HeMS accessible inside operator's private secure network domainを示す。
【００２６】
<ステップ１>
ステップ１では、HeNBは、Initial HeMSとの間でセキュアなコネクションを確立する。
【００２７】
ステップ１は、シーケンス１．１−１．５を有する。
【００２８】
（１．１）HeNBは、Initial SeGWのIPアドレスを取得する動作を開始する。HeNBは、Initial SeGWのFQDNを設定したDNS queryをpublic DNSに送信する。Initial SeGWのFQDNは、HeNBに事前に設定が行われている。
【００２９】
（１．２）public DNSは、FQDNに一致するInitial SeGWのIPアドレスを含む応答をHeNBに返す。
【００３０】
（１．３）HeNBとInitial SeGW間でIPsecトンネルによるセキュアコネクションを確立する。
【００３１】
（１．４）HeNBは、Initial HeMSのIPアドレスを取得する動作を開始する。HeNBは、Initial HeMSのFQDNを設定したDNS queryをprivate DNSに送信する。Initial HeMSのFQDNは、HeNBに事前に設定が行われている。
【００３２】
（１．５）private DNSは、FQDNに一致するInitial HeMSのIPアドレスを含む応答をHeNBに返す。
【００３３】
<ステップ２>
ステップ２では、HeNBはInitial HeMSとTR-069セッションを確立する。
【００３４】
ステップ２は、シーケンス２．１−２．２を有する。
【００３５】
（２．１）HeNBは、HeNBのDevice ID及びLocation information（オプション）を含むInform requestをInitial HeMSに送信する。
【００３６】
（２．２）Initial HeMSは、そのセッション要求が受け入れる場合、応答としてInformResponseをHeNBに返す。
【００３７】
<ステップ３>
ステップ３では、Initial HeMSはHeNBにServing SeGWとServing HeMSのIPアドレスを提供する。
【００３８】
ステップ３は、シーケンス３．１−３．２を有する。
【００３９】
（３．１）Initial HeMSは、Serving SeGWとServing HeMSのIPアドレスを含むSetParameterValuesをHeNBに送信する。このときInitial HeMSは、オプションとしてMMEのS1インタフェースのIPアドレスを一緒に送信することもできる。
【００４０】
（３．２）HeNBは、SetParameterValuesResponseにより、Initial HeMSに応答を返す。
【００４１】
<ステップ４>
ステップ４では、HeNBはInitial HeMSとのTR-069セッションを解放する。
【００４２】
<ステップ５>
ステップ５では、HeNBはInitial SeGW間のIPsecトンネルを解放する。
【００４３】
<ステップ６>
ステップ６では、HeNBはServing HeMSとの間でセキュアなコネクションを確立する。
【００４４】
ステップ６は、シーケンス６．１−６．５を有する。
【００４５】
（６．１）HeNBは、Serving SeGWのIPアドレスの取得がまだ行われていない場合（例えば、ステップ3.1でServing SeGWのIPアドレスの代わりにFQDNが通知される）、Serving SeGWのIPアドレスを取得する動作を開始する。HeNBは、Serving SeGWのFQDNを設定したDNS queryをpublic DNSに送信する。もし、すでに、Serving SeGWのIPアドレスを取得している場合は、シーケンス６．３にスキップする。
【００４６】
（６．２）public DNSは、FQDNに一致するServing SeGWのIPアドレスを含む応答をHeNBに返す。
【００４７】
（６．３）HeNBとServing SeGW間でIPsecトンネルによるセキュアコネクションを確立する。
【００４８】
（６．４）HeNBは、まだServing HeMSのIPアドレスの取得がまだ行われていない場合（例えば、シーケンス（３．１）でServing HeMSのIPアドレスの代わりにFQDNが通知される）、Serving HeMSのIPアドレスを取得する動作を開始する。HeNBは、Serving HeMSのFQDNを設定したDNS queryをpublic DNSに送信する。すでに、Serving HeMSのIPアドレスを取得している場合は、上記シーケンス（６．４）及び下記（６．５）をスキップする。
【００４９】
（６．５）private DNSは、FQDNに一致するServing HeMSのIPアドレスを含めた応答をHeNBに返す。
【００５０】
図３は、従来の、HeNBがServing HeMSに登録を行うプロシージャを示す図である。図３は、TS32.593 V10.0.0（5.1.3 Figure 5-4）より抜粋したProcedure for HeNB registration with Serving HeMSを示す。
【００５１】
本プロシージャは、事前にHeNBがServing HeMSの探索が完了し、Serving HeMSとの間でセキュアなIP接続が確立されていることが必要である。
【００５２】
<ステップ１１>
ステップ１１では、HeNBは、Serving HeMSとの間でTR-069セッションを確立する。
【００５３】
ステップ１１は、ステップ１１．１−１１．２を有する。
【００５４】
（１１．１）HeNBは、HeNBのDevice IDと位置情報（オプション）を含むInform requestをServing HeMSに送信する。
【００５５】
（１１．２）Serving HeMSは、セッションを受け入れると、応答としてInformResponseをHeMSに返す。
【００５６】
<ステップ１２>
ステップ１２では、Serving HeMSは、MMEのS1インタフェースのIPアドレスをHeNBに提供する。
【００５７】
ステップ１２は、シーケンス１２．１−１２．２を有する。
【００５８】
（１２．１）Serving HeMSは、MMEのS1インタフェースのIPアドレスを含むSetParameterValuesをHeNBに送信する。
【００５９】
（１２．２）HeNBは、SetParameterValuesResponseにより、Serving HeMSに応答を返す。
【００６０】
<ステップ１３>
ステップ１３は、HeNBはServing HeMSとのTR-069セッションを解放する。
【００６１】
<ステップ１４>
ステップ１４は、HeNBはS1 Setupプロシージャを開始する。
【００６２】
図４は、従来の、HeNBがコンフィグレーションを取得するためのプロシージャを示す図である。図４は、TS32.593 V10.0.0（5.2.3 Figure 5-6）より抜粋したHeNB configuration procedure using RPC SetParameterValues methodを示す。
【００６３】
ステップ４１では、HeNBとHeMSとの間でTR-069セッションを確立する（TR-069 session establishment）。
【００６４】
ステップ４２では、HeMSは、Parameter listを含むSetParameterValuesをHeNBに送信する（SetParameterValues（parameter list））。
【００６５】
ステップ４３では、HeNBは、ステータス情報を含むSetParameterValuesResponseを応答として、HeMSに返す（SetParameterValuesResponse（status））。
【００６６】
ステップ４４では、TR-069セッションを解放する（TR-069 session tear-down）。
【００６７】
図５は、従来の、HeNBがMMEと装置レベルでのコネクションを確立するためのS1 setupプロシージャを示す図である。図５は、TS36.413 V10.0.1（8.7.3.2 Figure 8.7.3.2-1）より抜粋したS1 Setup procedure：Successful Operationを示す。
【００６８】
本プロシージャは、MMEのIPアドレスを取得し、Serving HeMSへの登録が完了すると、最初のS1APプロシージャとして実施される。なお、図５はeNBの場合を示したが、HeNBの場合も同様のプロシージャである。
【００６９】
図５に示すように、eNBは、TNL（TNL：Transport Network Layer）アソシエーションを確立するためのデータを含むS1 SETUP REQUESTをMMEに送信する。MMEはTNLアソシエーションを確立するためのデータを含むS1 SETUP RESPONSEを応答としてeNBに送信する。交換されたデータは、eNBとMMEで保持され、TNLアソシエーションのために使用される。
【００７０】
図６は、従来の、Initial Context Setupのプロシージャを示す図である。図６は、TS36.300 V10.2.0（19.2.2.3  Figure１9.2.2.3-1）を元にしたInitial Context Setup Procedureを示す。なお、図６はeNBの場合を示したが、HeNBの場合も同様のプロシージャである。
【００７１】
UEがアイドルからアクティブに遷移する場合、図６に示すように、eNBはINITIAL UE MESSAGEをMMEに送信する。これにより、MMEはINITIAL CONTEXT SETUP REQUESTを送信して、Initial Context Setupプロシージャを開始する。
【００７２】
本プロシージャにより、eNBとMME間ではユーザデータの送受信を行うために必要な情報が交換される。
【００７３】
図７は、従来のメッセージ送信を説明する図である。
【００７４】
図７破線に示すように、HeNB数が増加することで、オペレータネットワークで処理しなければならないメッセージ処理負荷が増加する。
【先行技術文献】
【非特許文献】
【００７５】
【非特許文献１】3GPP TS32.593 V10.0.0（5章 Procedure Flows）
【非特許文献２】3GPP TS36.413 V10.0.1（8.7.3章 S1 Setup）
【非特許文献３】3GPP TS36.300 V10.2.0（19.2.2.3章 Initial Context Setup procedure）
【発明の概要】
【発明が解決しようとする課題】
【００７６】
しかしながら、従来のHeNBの起動プロシージャは、HeNB数の増加により、オペレータネットワークで処理しなければならないメッセージ数が増加するという課題があった。
【００７７】
具体的には、下記の課題がある。
【００７８】
（１）HeNBは、起動時に、オペレータネットワーク内にあるInitial HeMS/Serving HeMSとの間で、登録及びコンフィグレーション取得のためのメッセージをやり取りする。また、MMEとの間でS1セットアップのためのメッセージをやり取りする。さらに起動時以外にも、HeMS及びMMEとの間でメッセージのやり取りが発生する。
【００７９】
（２）HeNB数の増加に比例して、オペレータネットワークでは処理しなければならないメッセージ数が増加し、そのための処理負荷が高くなる。
【００８０】
（３）メッセージ処理負荷の増加により、オペレータは機器の増設及びネットワーク回線の広帯域化等の設備投資が必要である。
【００８１】
（４）HeMSでは、HeNB情報を事前登録しておく必要があるため、HeNB数が増加すると、オペレータのメンテナンスのための負担も増加する。
【００８２】
本発明の目的は、ローカルネットワーク内のHeNBとオペレータネットワーク装置間でやり取りされるメッセージ数を削減することができる基地局装置及び基地局装置の通信方法を提供することである。
【課題を解決するための手段】
【００８３】
本発明の基地局装置は、ローカルネットワークに設置され、オペレータネットワーク装置と通信を行うオペレータネットワーク通信手段と、前記ローカルネットワークに設置された他基地局装置に対して前記オペレータネットワーク装置の代理として通信を行うオペレータネットワーク代理手段と、前記オペレータネットワーク通信手段により取得したパラメータ情報のうち、前記他基地局装置に対して使用するパラメータ情報を管理するパラメータ管理手段と、を備え、前記オペレータネットワーク代理手段は、前記パラメータ管理手段が管理するパラメータ情報を用いて、前記他基地局装置への装置単位のメッセージを生成し、前記メッセージを前記他基地局装置に送信する、構成を採る。
【００８４】
本発明の基地局装置の通信方法は、ローカルネットワークに設置され、オペレータネットワーク装置と通信を行う基地局装置の通信方法であって、前記通信によりパラメータ取得を行うステップと、前記パラメータを用いて、他基地局装置に対してオペレータネットワーク装置の代理動作を行うステップと、を有する。
【発明の効果】
【００８５】
本発明によれば、ローカルネットワーク内のHeNBとオペレータネットワーク装置間でやり取りされるメッセージ数を削減することができる。
【図面の簡単な説明】
【００８６】
【図１】従来のHeNBの起動手順を示す図
【図２】従来のServing HeMSを見つけるためのプロシージャを示す図
【図３】従来のHeNBがServing HeMSに登録を行うプロシージャを示す図
【図４】従来のHeNBがコンフィグレーションを取得するためのプロシージャを示す図
【図５】従来のHeNBがMMEと装置レベルでのコネクションを確立するためのS1 setupプロシージャを示す図
【図６】従来のInitial Context Setupのプロシージャを示す図
【図７】従来のメッセージ送信を説明する図
【図８】本発明のメッセージ送信を説明する図
【図９】本発明の実施の形態に係る基地局装置を含む周辺システムを示すブロック図
【図１０】上記実施の形態に係る基地局装置の起動プロシージャの制御シーケンスを示す図
【図１１】上記実施の形態に係る基地局装置のInitial Context Setupプロシージャの制御シーケンスを示す図
【図１２】上記実施の形態に係る基地局装置のInitial Context Setupプロシージャの制御シーケンスを示す図
【図１３】上記実施の形態に係る基地局装置のInitial Context Setupプロシージャの制御シーケンスを示す図
【発明を実施するための形態】
【００８７】
以下、本発明の実施の形態について、図面を参照して詳細に説明する。
【００８８】
（原理説明）
本発明の基本的な考え方について説明する。
【００８９】
本発明は、ホームネットワーク、企業ネットワーク、ショッピングモール（以下ローカルネットワーク）において、複数のHeNBを設置する場合、オペレータネットワークに接続する１台もしくは複数台のHeNBをParent HeNB（基地局装置）とし、それ以外のHeNBをParent HeNBがオペレータネットワークから取得したパラメータをコピーして使用するClone HeNB（他基地局装置）として動作させる。これにより、HeNBとオペレータネットワーク装置間でやり取りするメッセージ数を削減する。
【００９０】
図８は、本発明のメッセージ送信を説明する図である。
【００９１】
ローカルネットワークに設置するHeNBの中で、オペレータネットワーク機器（HeMS, MMEなど）と直接通信を行うHeNBを“Parent HeNB”とする。Parent HeNB以外のHeNBは、Parent HeNBから必要なパラメータをコピーしてサービスを行う。このHeNBを“Clone HeNB”とする。
【００９２】
Clone HeNBは、Parent HeNBをオペレータネットワーク機器とみなして通信を行う。Clone HeNBのHeMSへの登録及びMMEとのS1セットアップのためのメッセージは、Parent HeNBで終端し、オペレータネットワークには転送しない。
【００９３】
これにより、Clone HeNBの台数が増えた場合でも、オペレータネットワークに対するメッセージ数は増加しないため、オペレータネットワーク機器での処理負荷は増加しない。すなわち、図８ａ．に示すように、Clone HeNBのメッセージはParent HeNBで終端され、Operator Networkには送信されないため、オペレータネットワークでのメッセージ処理負荷は低減される。
【００９４】
また、Clone HeNBはオペレータネットワークには認識されず、オペレータが管理を行う必要がない。
【００９５】
（実施の形態）
図９は、上記基本的な考え方に基づく本発明の実施の形態に係る基地局装置を含む周辺システムを示すブロック図である。
【００９６】
図９に示すように、ローカルネットワーク１０には、オペレータネットワーク２０，３０、オペレータネットワーク２０を経由してPDN２６、インターネット４０が接続される。
【００９７】
ローカルネットワーク１０には、オペレータネットワーク２０，３０機器（HeMS，MMEなど）と直接通信を行うParent HeNB１００と、Parent HeNB１００から必要なパラメータをコピーしてサービスを行うClone HeNB２００とが設置される。
【００９８】
Parent HeNB１００とClone HeNB２００とは、S5、S1-MME、S1-U、HeMSインタフェースからなるClone HeNBインタフェース２１０により接続される。
【００９９】
Clone HeNB２００は、Parent HeNB１００をオペレータネットワーク２０，３０機器とみなして通信を行う。Clone HeNB２００のHeMSへの登録及びMMEとのS1セットアップのためのメッセージは、Parent HeNB１００で終端し、オペレータネットワーク２０，３０には転送しない。
【０１００】
オペレータネットワーク２０には、SeGW２１、MME２２、HSS２３、P-GW２４、及びS-GW２５が設置される。
【０１０１】
オペレータネットワーク３０には、Initial SeGW３１、Serving SeGW３２、Initial HeMS３３、Serving HeMS３４、及びPrivate DNS３５が設置される。ローカルネットワーク１０とオペレータネットワーク３０とは、HeMSインタフェースにより接続される。
【０１０２】
インターネット４０には、例えばPublic DNS４１が設置される。
【０１０３】
図９の概要は、以下の通りである。
【０１０４】
（１）オペレータネットワーク２０，３０と直接通信を行うHeNBは、Parent HeNB１００である。Parent HeNB１００は、オペレータネットワーク２０，３０とのトラヒック量に応じて複数台設置してもよい。
【０１０５】
（２）Parent HeNB１００は、Parent以外の新たなHeNBがローカルネットワーク１０に設置され、起動が行われる際、上記新たなHeNBに対して、HeMS及びEPCの代理として動作する。また、上記新たなHeNBでIPsecを使用する必要がある場合、Parent HeNB１００は、SeGWの代理としても動作する。
【０１０６】
（３）上記（２）において、Parent HeNB１００は、3GPPで規定されるL-GWのローカルネットワーク向けインタフェースを用いて、Parent以外の新たなHeNBと通信を行ってもよい。
【０１０７】
（４）上記（２）において、Parent HeNB１００がオペレータネットワークのHeMS及びEPCから取得したパラメータを用いて、Parent以外の新たなHeNBに対してパラメータ設定を行う。Parent HeNB１００からパラメータ設定が行われるParent以外のHeNBをClone HeNB２００とする。Clone HeNB２００は、Parent HeNB１００と同一のパラメータによって動作する。
【０１０８】
（５）上記（４）において、Parent HeNB１００からClone HeNB２００に設定するパラメータを任意に変更することを可能とする。
【０１０９】
（６）Clone HeNB２００から送信される装置単位のメッセージは、Parent HeNB１００で終端され、オペレータネットワーク２０，３０への転送を行わない。
【０１１０】
（７）ローカルネットワーク１０の管理者は、設置を許可するClone HeNB２００のDevice ID情報をParent HeNB１００に登録する。
【０１１１】
（８）ローカルネットワーク１０の管理者は、設置を許可するClone HeNB２００の設置可能な位置情報をParent HeNB１００に登録する。
【０１１２】
（９）Parent HeNB１００は、Clone HeNB２００の登録処理時にDevice ID情報及び位置情報の確認を行い、上記（７），（８）の登録情報と異なる場合にはサービス開始を許可しない。但し、確認を行わずにサービス開始を許可することも可能とする。
【０１１３】
（１０）Clone HeNB２００から、UE単位のS1，S5メッセージ及びユーザデータを受信した場合、Parent HeNB１００は、メッセージ内のClone HeNB２００とParent HeNB１００間で使用されるID値をParent HeNBとEPC間で使用されるID値に変更した後、MME２２及びS-GW２５に送信する。
【０１１４】
（１１）MME２２及びS-GW２５から、UE単位のS1，S5メッセージ及びユーザデータを受信した場合、Parent HeNB１００は、ID値を確認し、Clone HeNB２００でサービスを受けるUEと関連付けされたID値である場合、EPCとParent HeNB１００間で使用されるID値をParent HeNB１００とClone HeNB２００間で使用されるID値に変更した後、Clone HeNB２００に送信する。
【０１１５】
（１２）Parent HeNB１００が、MME２２又はHeMSから初期化を指示された場合、そのParent HeNB１００に接続されるClone HeNB２００の初期化も行う。
【０１１６】
（１３）Parent HeNB機能は、Parent HeNB機能スイッチが有効である場合のみ動作を行い、無効である場合には、Parent HeNB１００として動作しない。
【０１１７】
以上、概要について説明した。
【０１１８】
次に、Parent HeNB１００の機能ブロックについて説明する。
【０１１９】
Parent HeNB１００は、オペレータネットワーク通信機能部１１０と、オペレータネットワーク代理機能部１２０と、パラメータ管理機能部１３０と、識別子変換機能部１４０と、スイッチ設定機能部１５０と、を備える。
【０１２０】
識別子変換機能部１４０、パラメータ管理機能部１３０、オペレータネットワーク代理機能部１２０は、その機能を有効又は無効とすることが可能である。
【０１２１】
本実施の形態では、HeNBがLIPA（Local IP Access）機能のためのL-GW（Local Gateway）機能部１００Ａを具備する。本通信方法を実現するための追加機能は、オペレータネットワーク通信機能部１１０を除いて、L-GW機能部１００Ａに配置する構成である。L-GW機能部１００Ａを具備しない場合には、追加機能をHeNB本体に配置してもよい。
【０１２２】
Clone HeNB２００は、自身がCloneであることを意識することなく動作するため、追加機能は必要ない。
【０１２３】
〔オペレータネットワーク通信機能部１１０〕
オペレータネットワーク通信機能部１１０は、ローカルネットワーク１０に設置され、オペレータネットワーク２０，３０の装置と通信を行う。
【０１２４】
オペレータネットワーク通信機能部１１０は、基地局装置からオペレータネットワーク２０，３０の装置あてのメッセージに変換して、オペレータネットワーク２０，３０の装置に送信する。
【０１２５】
オペレータネットワーク通信機能部１１０は、オペレータネットワーク２０，３０の装置から受信したメッセージ及びユーザデータのうち他基地局装置でサービスを受けるユーザあてのメッセージとユーザデータを、識別子変換機能部１４０に転送する。
【０１２６】
オペレータネットワーク通信機能部１１０は、基地局装置の初期化及びサービス停止を指示するメッセージをオペレータネットワーク２０，３０の装置から受信すると、オペレータネットワーク代理機能部１２０に全ての他基地局装置に初期化及びサービス停止を指示するメッセージを生成するよう指示する。
【０１２７】
具体的には、下記の通りである。
【０１２８】
オペレータネットワーク通信機能部１１０は、EPC及びHeMSと通信を行うインタフェースを有し、EPC及びHeMSと通信を行う。
【０１２９】
オペレータネットワーク通信機能部１１０は、EPCから受信したUE単位のメッセージ及びユーザデータのID値が、Clone HeNB２００用のID値である場合、識別子変換機能部１４０に転送する。オペレータネットワーク通信機能部１１０は、装置単位のメッセージであるか、又はUE単位のメッセージ及びユーザデータでID値がClone HeNB２００用のID値でない場合、オペレータネットワーク通信機能部１１０で終端して処理を行う。
【０１３０】
ここで、UE単位のメッセージは、UEごとの設定や制御を行うためのメッセージである。メッセージ内には、どのUEのメッセージであるか識別できるように、UEごとのID値が含まれている。また、装置単位のメッセージは、HeNB（Parent HeNB１００，Clone HeNB２００）ごとの設定や制御を行うためのメッセージである。
【０１３１】
オペレータネットワーク通信機能部１１０は、EPCから受信したメッセージが、Parent eNB１００に対しての初期化指示である場合、オペレータネットワーク代理機能部１２０に全Clone eNBに対して初期化メッセージを送信するよう通知する。
【０１３２】
オペレータネットワーク通信機能部１１０は、識別子変換機能部１４０から受信したメッセージ及びユーザデータをEPCに転送する。
【０１３３】
オペレータネットワーク通信機能部１１０は、EPCから受信したメッセージで、Clone HeNB２００の設定に使用する装置単位の制御に関するパラメータ情報は、パラメータ管理機能部１３０に通知する。
【０１３４】
オペレータネットワーク通信機能部１１０は、識別子変換機能部１４０から未使用ID値の割り当ての要求があった場合、現在使用していないID値の検索し、識別子変換機能部１４０に通知する。
【０１３５】
オペレータネットワーク通信機能部１１０は、HeMSと通信を行うインタフェースを有し、HeMSから受信したメッセージを処理し、Clone HeNB２００の設定に使用するパラメータ情報をパラメータ管理機能部１３０に通知する。
【０１３６】
オペレータネットワーク通信機能部１１０は、HeMSから受信したメッセージが、Parent eNB１００のサービス停止及び初期化指示であった場合、オペレータネットワーク代理機能部１２０に全Clone eNBにサービス停止及び初期化メッセージを送信するよう通知を行う。
【０１３７】
オペレータネットワーク通信機能部１１０は、IPヘッダの送信元及び送信先アドレスの変換を行う。
【０１３８】
〔オペレータネットワーク代理機能部１２０〕
オペレータネットワーク代理機能部１２０は、ローカルネットワーク１０に設置された他基地局装置に対してオペレータネットワーク２０，３０の装置の代理として通信を行う。
【０１３９】
オペレータネットワーク代理機能部１２０は、パラメータ管理機能部１３０の管理するパラメータ情報を用いて、他基地局装置への装置単位のメッセージを生成し、メッセージを他基地局装置に送信する。オペレータネットワーク代理機能部１２０は、他基地局装置から受信したメッセージ及びユーザデータのうち、装置単位のメッセージを終端し、応答が要求される場合にはメッセージを生成して他基地局装置に送信する。
【０１４０】
また、オペレータネットワーク代理機能部１２０は、他基地局装置のオペレータネットワーク装置への登録及びセットアップのためのメッセージを終端し、前記オペレータネットワーク装置には転送しない。オペレータネットワーク代理機能部１２０は、サービスを提供することを許可する他基地局装置を任意に設定可能とし、許可する他基地局装置以外の他基地局装置がサービスを要求する場合、サービスを拒絶する。オペレータネットワーク代理機能部１２０は、接続する他基地局装置の設置可能位置を任意に設定可能とし、接続する他基地局装置が設置可能位置以外である場合、サービスを拒絶する。
【０１４１】
また、オペレータネットワーク代理機能部１２０は、他基地局装置から受信したメッセージ及びユーザデータのうち、ユーザ単位のメッセージ及びユーザデータを、識別子変換機能部１４０に転送する。オペレータネットワーク代理機能部１２０は、他基地局装置でサービスを受けるユーザあてのメッセージ及びユーザデータを、基地局装置から他基地局装置あてのメッセージ及びユーザデータに変換して、他基地局装置に送信する。オペレータネットワーク代理機能部１２０は、基地局装置に具備されるローカルネットワークゲートウェイの通信インタフェースを用いて他基地局装置と通信する。
【０１４２】
具体的には、下記の通りである。
【０１４３】
オペレータネットワーク代理機能部１２０は、Clone HeNB２００と通信を行うインタフェースを有し、Clone HeNB２００に対して、オペレータネットワーク２０，３０のSeGW、EPC、Initial SeGW, Serving SeGW, Private DNS及びHeMS（Initial HeMS及びServing HeMS）の代理として動作する。
【０１４４】
オペレータネットワーク代理機能部１２０は、SeGW、Initial SeGW, Serving SeGWの代理として、Clone HeNB２００との間でのセキュアトンネル（IKE，IPsec，SSL/TLSなど）の確立を行う。
【０１４５】
オペレータネットワーク代理機能部１２０は、EPCの代理として、Clone HeNB２００からの受信データの種別判定を行い、UE単位のメッセージもしくはユーザデータの場合には、識別子変換機能部１４０に転送する。装置単位のメッセージの場合には、メッセージを終端し、そのメッセージの内容に従って処理を行う。応答を行う場合には、パラメータ管理機能部１３０から必要なパラメータ情報を取得する。
【０１４６】
オペレータネットワーク代理機能部１２０は、EPCの代理として、識別子変換機能部１４０から転送されたメッセージ及びユーザデータをClone HeNB２００に送信する。
【０１４７】
オペレータネットワーク代理機能部１２０は、EPCの代理として、パラメータ管理機能部１３０からパラメータの変更があったことを通知された場合、必要に応じてClone HeNB２００にメッセージ送信を行う。
【０１４８】
オペレータネットワーク代理機能部１２０は、HeMSの代理として、Clone HeNB２００に対してTR-69 Managerとして動作する。Clone HeNB２００にメッセージを送信する際、パラメータ管理機能部１３０から必要なパラメータ情報を取得する。
【０１４９】
オペレータネットワーク代理機能部１２０は、HeMSの代理として、パラメータ管理機能部１３０からパラメータ変更を通知された場合、必要に応じてClone HeNB２００にメッセージ送信を行う。
【０１５０】
オペレータネットワーク代理機能部１２０は、ローカルネットワーク１０の管理者がサービスを許可するClone HeNB２００の識別子を設定するためのインタフェースを提供する。
【０１５１】
オペレータネットワーク代理機能部１２０は、ローカルネットワーク１０の管理者がサービスを許可するClone HeNB２００の設置位置情報を設定するためのインタフェースを提供する。
【０１５２】
オペレータネットワーク代理機能部１２０は、IPヘッダの送信先及び送信元アドレスの変換を行う。
【０１５３】
オペレータネットワーク代理機能部１２０は、スイッチ設定機能部１５０が、機能を有効としている場合のみ、上記動作を行う。
【０１５４】
〔パラメータ管理機能部１３０〕
パラメータ管理機能部１３０は、オペレータネットワーク通信機能部１１０で取得したパラメータ情報のうち、他基地局装置に対して使用するパラメータ情報を管理する。パラメータ管理機能部１３０は、パラメータ情報を任意に変更することを可能とする。
【０１５５】
具体的には、パラメータ管理機能部１３０は、オペレータネットワーク通信機能部１１０から通知されるClone HeNB２００のためのパラメータ情報を保持する。保持されるパラメータ情報は、オペレータネットワーク代理機能部１２０により参照される。
【０１５６】
パラメータ管理機能部１３０は、保持するパラメータ情報に変更が発生した場合、オペレータネットワーク代理機能部１２０に通知する。
【０１５７】
パラメータ管理機能部１３０は、ローカルネットワーク１０の管理者が、Clone HeNB２００のためのパラメータを設定するインタフェースを提供する。
【０１５８】
パラメータ管理機能部１３０は、スイッチ設定機能部１５０が、機能を有効としている場合のみ、上記動作を行う。
【０１５９】
〔識別子変換機能部１４０〕
識別子変換機能部１４０は、他基地局装置と前記オペレータネットワーク２０，３０の装置の間で通信を行う際に、メッセージ及びユーザデータの識別子の変換を行う。
【０１６０】
識別子変換機能部１４０は、ユーザ単位のメッセージ及びユーザデータのユーザ識別子を、基地局装置と他基地局装置との間で使用されるユーザ識別子から、オペレータネットワーク２０，３０の装置と基地局装置との間で使用されるユーザ識別子に変換して、オペレータネットワーク通信機能部１１０に転送する。
【０１６１】
識別子変換機能部１４０は、他基地局装置でサービスを受けるユーザあてのメッセージとユーザデータのユーザ識別子を、オペレータネットワーク２０，３０装置と基地局装置との間で使用されるユーザ識別子から、基地局装置と他基地局装置との間で使用されるユーザ識別子に変換して、オペレータネットワーク代理機能部１２０に転送する。
【０１６２】
具体的には、下記の通りである。
【０１６３】
識別子変換機能部１４０は、Clone HeNB２００とParent HeNB１００間のID値とEPCとParent HeNB１００間のID値及びその括り付け情報を保持する。
【０１６４】
識別子変換機能部１４０は、オペレータネットワーク代理機能部１２０から受信したメッセージ及びユーザデータのID値をClone HeNB２００とParent HeNB１００間で使用されるID値からParent HeNB１００とEPC間で使用されるID値に変換し、オペレータネットワーク通信機能部１１０に転送する。新規コネクション確立を行うメッセージの場合、Parent HeNB１００とEPC間で使用されるID値の割り当てがまだ行われていない。この場合、オペレータネットワーク通信機能部１１０に、未使用のID値の問い合わせを行い、その応答で通知されるID値を用いて変換を行う。
【０１６５】
識別子変換機能部１４０は、オペレータネットワーク通信機能部１１０から受信したメッセージ及びユーザデータのID値をEPCとParent HeNB１００間で使用されるID値からParent HeNB１００とClone HeNB２００間で使用されるID値に変換し、オペレータネットワーク代理機能部１２０に転送する。
【０１６６】
識別子変換機能部１４０は、スイッチ設定機能部１５０が、機能を有効としている場合のみ、上記動作を行う。
【０１６７】
〔スイッチ設定機能部１５０〕
スイッチ設定機能部１５０は、HeNBがParent HeNB１００として動作する場合、Parent HeNB１００の機能を有効とすることを、オペレータネットワーク代理機能部１２０、パラメータ管理機能部１３０、識別子変換機能部１４０に通知する。スイッチ設定機能部１５０は、Parent HeNB１００以外として動作する場合、Parent HeNB１００の機能を無効とすることを通知する。
【０１６８】
以下、上述のように構成された基地局装置１００の通信方法について説明する。
【０１６９】
図１０は、起動プロシージャの制御シーケンスを示す図である。
【０１７０】
図１０に示すように、Parent HeNB１００は、オペレータネットワーク２０，３０に接続し、Clone HeNB２００は、オペレータネットワーク２０，３０に接続されない。Clone HeNB２００は、Parent HeNB１００がオペレータネットワーク２０，３０から取得したパラメータを使用してサービスを行う。
【０１７１】
Parent HeNB１００起動プロシージャでは、Parent HeNB１００は、オペレータネットワーク２０，３０の装置と通信を行う。具体的には、オペレータネットワーク通信機能部１１０が、オペレータネットワーク３０のInitial SeGW３１、Serving SeGW３２、Initial HeMS３３、Serving HeMS３４、及びPrivate DNS３５との間、並びにインターネット４０のPublic DNS４１との間で、下記（１）−（３）を実施する。（１）Discovery Serving HeMS procedure（図２参照）、（２）Registration with Serving HeMS procedure（図３参照）、（３）HeNB configuration procedure using RPC SetParameterValues method（図４参照）。また、オペレータネットワーク通信機能部１１０が、オペレータネットワーク２０のMME２２との間で、S1 Setup procedure（図５参照）を実施する。
【０１７２】
そして、オペレータネットワーク通信機能部１１０は、Clone HeNB２００の設定に必要なパラメータ情報を取得してパラメータ管理機能部１３０に通知し、パラメータ管理機能部１３０は、通知されたパラメータ情報を保持・管理する。
【０１７３】
一方、Clone HeNB２００の起動プロシージャでは、オペレータネットワーク２０，３０へのメッセージ送信は行われない。Clone HeNB２００は、Clone HeNBインタフェース２１０を介してParent HeNB１００と接続されており、Clone HeNB２００は、Parent HeNB１００がオペレータネットワーク２０，３０から取得したパラメータを使用してサービスを行う。具体的には、オペレータネットワーク代理機能部１２０が、Clone HeNB２００との間で、（１）Discovery Serving HeMS procedure（図２参照）、（２）Registration with Serving HeMS procedure（図３参照）、（３）HeNB configuration procedure using RPC SetParameterValues method（図４参照）、（４）S1 Setup procedure（図５参照）を実施する。
【０１７４】
そして、オペレータネットワーク代理機能部１２０は、パラメータ管理機能部１３０に対してClone HeNB２００の設定に必要なパラメータ情報を要求し、パラメータ管理機能部１３０は、保持しているパラメータ情報を応答する。
【０１７５】
このように、Clone HeNB２００の起動プロシージャでは、オペレータネットワーク２０，３０へのメッセージ送信は行われない。そのため、オペレータネットワーク２０，３０機器で処理するメッセージの処理負荷を削減することが可能である。
【０１７６】
本通信方法では、UE単位のメッセージ及びユーザデータをClone HeNB２００とEPC間で送受信する場合、Parent HeNB１００で、メッセージ及びユーザデータのID値を変換する必要がある。その例として、Initial Context Setupプロシージャのケースを説明する。
【０１７７】
図１１乃至図１３は、Initial Context Setupプロシージャの制御シーケンスを示す図である。図１１乃至図１３は、記載スペースの関係で、Initial Context Setupプロシージャを３分割して記載したものである。
【０１７８】
図１１に示すように、Initial Context Setupプロシージャでは、Clone HeNB２００は、Parent HeNB１００のオペレータネットワーク代理機能部１２０に、INITIAL US MESSAGE（eNB UE S1AP ID：A）を発行する（番号３０１参照）。
【０１７９】
オペレータネットワーク代理機能部１２０は、IPsecで暗号化されている場合は、暗号化を解除する。オペレータネットワーク代理機能部１２０は、受信メッセージがユーザ単位であるか装置単位であるか判定する（番号３０２参照）。
【０１８０】
オペレータネットワーク代理機能部１２０は、受信メッセージがユーザ単位の場合、識別子変換機能部１４０に、INITIAL US MESSAGE（eNB UE S1AP ID：A）を転送する（番号３０３参照）。
【０１８１】
識別子変換機能部１４０は、新規コネクション確立であるため、オペレータネットワーク通信機能部１１０に未使用のeNB UE S1AP IDの問い合わせを行う（番号３０４参照）。具体的には、識別子変換機能部１４０は、オペレータネットワーク通信機能部１１０に未使用のeNB UE S1AP IDを要求する（番号３０５参照）。
【０１８２】
オペレータネットワーク通信機能部１１０は、未使用のeNB UE S1AP ID：Xの割り当てを行う（番号３０６参照）。XはParent HeNB１００がMME２２と通信を行う際に、Parent HeNB１００で一意となる値である。
【０１８３】
オペレータネットワーク通信機能部１１０は、識別子変換機能部１４０に、eNB UE S1AP ID：Xを通知する（番号３０７参照）。
【０１８４】
識別子変換機能部１４０は、INITIAL UE MESSAGEのeNB UE S1AP IDをXに変更する（番号３０８参照）。識別子変換機能部１４０は、Clone HeNBに対して使用するeNB UE S1AP ID：Aと、MME２２に対して使用するeNB UE S1AP ID: Xの対応を保持する（番号３０８参照）。
【０１８５】
識別子変換機能部１４０は、オペレータネットワーク通信機能部１１０に、INITIAL UE MESSAGE（eNB UE S1AP ID：X）を送信する（番号３０９参照）。
【０１８６】
オペレータネットワーク通信機能部１１０は、送信先のMME２２を選択する（番号３１０参照）。オペレータネットワーク通信機能部１１０は、IPヘッダの送信元アドレスをParent HeNBアドレスに、送信先アドレスを選択したMMEアドレスに変更する（番号３１０参照）。
【０１８７】
オペレータネットワーク通信機能部１１０は、IPsecの暗号化が必要な場合は、暗号化を行い、MME２２に送信する（番号３１１参照）。
【０１８８】
図１２に示すように、MME２２は、オペレータネットワーク通信機能部１１０に、INITIAL CONTEXT SETUP REQUEST（MME UE S1AP ID：Y，eNB UE S1AP ID：X）を送信する（番号３１２参照）。
【０１８９】
オペレータネットワーク通信機能部１１０は、IPsecで暗号化されている場合は、暗号化を解除する（番号３１３参照）。オペレータネットワーク通信機能部１１０は、eNB UE S1AP IDを確認し、Clone HeNB用に割り当てたIDの場合、識別子変換機能部１４０に転送する（番号３１４参照）。
【０１９０】
識別子変換機能部１４０は、eNB UE S1AP IDをXからAに変更する（番号３１５参照）。また、識別子変換機能部１４０は、MME UE S1AP IDをYからBに変更する（番号３１５参照）。BはParent HeNBがClone HeNBに対してMMEの代理として動作する際に、S1コネクションを一意に識別可能な値である。さらに、識別子変換機能部１４０は、Clone HeNBに対して使用するeNB UE S1AP ID：Aと、MMEに対して使用するMME UE S1AP ID：Yとの対応を保持する（番号３１５参照）。
【０１９１】
識別子変換機能部１４０は、オペレータネットワーク代理機能部１２０に、INITIAL CONTEXT SETUP REQUEST（MME UE S1AP ID：B，eNB UE S1AP ID：A）を送る（番号３１６参照）。
【０１９２】
オペレータネットワーク代理機能部１２０は、IPヘッダの送信先アドレスをClone HeNBのアドレスに、送信元アドレスをParent HeNBアドレスに変更する（番号３１７参照）。オペレータネットワーク代理機能部１２０は、IPsecの暗号化が必要な場合は、暗号化を行い、Clone HeNB２００に送信する（番号３１７参照）。
【０１９３】
オペレータネットワーク代理機能部１２０は、Clone HeNB２００に、INITIAL CONTEXT SETUP REQUEST（MME UE S1AP ID：B，eNB UE S1AP ID：A）を転送する（番号３１８参照）。
【０１９４】
図１３に示すように、Clone HeNB２００は、Parent HeNB１００のオペレータネットワーク代理機能部１２０に、INITIAL CONTEXT SETUP RESPONSE（MME UE S1AP ID：B，eNB UE S1AP ID：A）を応答する（番号３１９参照）。
【０１９５】
オペレータネットワーク代理機能部１２０は、IPsecで暗号化されている場合は、暗号化を解除する（番号３２０参照）。オペレータネットワーク代理機能部１２０は、受信メッセージがユーザ単位であるか装置単位のメッセージであるか判定する（番号３２０参照）。
【０１９６】
オペレータネットワーク代理機能部１２０は、ユーザ単位のメッセージである場合は、識別子変換機能部１４０に、INITIAL CONTEXT SETUP RESPONSE（MME UE S1AP ID：B，eNB UE S1AP ID：A）を転送する（番号３２１参照）。
【０１９７】
識別子変換機能部１４０は、eNB UE S1AP IDをXに変更する（番号３２２参照）。識別子変換機能部１４０は、MME UE S1AP IDをYに変更する（番号３２２参照）。
【０１９８】
識別子変換機能部１４０は、オペレータネットワーク通信機能部１１０に、INITIAL CONTEXT SETUP RESPONSE（MME UE S1AP ID：Y，eNB UE S1AP ID：X）を送る（番号３２３参照）。
【０１９９】
オペレータネットワーク通信機能部１１０は、IPヘッダの送信元アドレスをParent HeNBアドレスに、送信先アドレスをMMEアドレスに変更する（番号３２４参照）。
【０２００】
オペレータネットワーク通信機能部１１０は、IPsecの暗号化が必要な場合は、暗号化を行い、MME２２に、INITIAL CONTEXT SETUP RESPONSE（MME UE S1AP ID：Y，eNB UE S1AP ID：X）を送信する（番号３２５参照）。
【０２０１】
以上、Initial Context Setupプロシージャについて説明した。
【０２０２】
以上詳細に説明したように、本実施の形態によれば、ローカルネットワーク１０には、オペレータネットワーク２０，３０機器（HeMS，MMEなど）と直接通信を行うParent HeNB１００と、Parent HeNB１００から必要なパラメータを取得してサービスを行うClone HeNB２００とが設置される。
【０２０３】
Parent HeNB１００は、オペレータネットワーク２０，３０の機器（例えば、EPC及びHeMS）と通信を行うオペレータネットワーク通信機能部１１０と、Clone HeNB２００に対して、オペレータネットワーク２０，３０のSeGW、EPC、Initial SeGW, Serving SeGW, Private DNS及びHeMS（Initial HeMS及びServing HeMS）の代理として動作するオペレータネットワーク代理機能部１２０と、を備える。また、Parent HeNB１００は、オペレータネットワーク通信機能部１１０で取得したパラメータ情報のうち、Clone HeNB２００に対して使用するパラメータ情報を管理するパラメータ管理機能部１３０と、Clone HeNB２００とオペレータネットワークの２０，３０の機器間で通信を行う際に、メッセージ及びユーザデータの識別子の変換を行う識別子変換機能部１４０と、を備える。
【０２０４】
Clone HeNB２００は、Parent HeNB１００をオペレータネットワーク２０，３０機器とみなして通信を行う。Clone HeNB２００のHeMSへの登録及びMMEとのS1セットアップのためのメッセージは、Parent HeNB１００で終端し、オペレータネットワーク２０，３０には転送しない。
【０２０５】
以上の構成により、Parent HeNB１００は、オペレータネットワーク２０，３０の機器から取得したパラメータ情報を用いて、Clone HeNB２００への装置単位のメッセージを生成する。このため、図１０の起動プロシージャに示すように、Clone HeNB２００の起動プロシージャでは、オペレータネットワーク２０，３０へのメッセージ送信は行われない。そのため、オペレータネットワーク２０，３０の機器で処理するメッセージの処理負荷を削減することができる。
【０２０６】
また、本実施の形態では、UE単位のメッセージ及びユーザデータをClone HeNB２００とオペレータネットワークの機器間でフォワーディングすることが可能であるので、図１１乃至図１３のInitial Context Setupプロシージャに示すように、各サービスを実現することが可能になる。
【０２０７】
また、本実施の形態では、オペレータネットワーク通信機能部１１０は、オペレータネットワーク代理機能部１２０に対して、全てのClone HeNB２００に初期化及びサービス停止を指示するメッセージを生成するよう指示することで、Parent HeNB１００とClone HeNB２００のサービス状態の同期を取る。これにより、Clone HeNB２００でサービスを受けるユーザの不通時間の最小化を図ることができる。また、Clone HeNB２００でサービスを受けるユーザがいち早く不通であることを知ることができる。
【０２０８】
また、本実施の形態では、スイッチ設定機能部１５０は、オペレータネットワーク代理機能部１２０、パラメータ管理機能部１３０、識別子変換機能部１４０の機能を有効又は無効にすることが可能であることで、基地局装置がParent HeNB１００として動作するか否かを設定することができる。これにより、意図しないClone HeNB２００が作成されることを防止することができる。また、不必要な機能を停止することで消費電力を削減することができる。
【０２０９】
以上の説明は本発明の好適な実施の形態の例証であり、本発明の範囲はこれに限定されることはない。
【０２１０】
例えば、上記実施の形態において、ローカルネットワーク１０は、L-GW、オペレータネットワーク２０は、MME，S-GW，HSS，P-GW，HSSなどのEPC、オペレータネットワーク３０は、HeMS，HeNBなどの機器を設けた例を示したが、本発明はこれに限らず、これらと同様の機能を持つ任意の装置を各々採用することができる。
【０２１１】
上記実施の形態では、基地局装置及び通信方法という名称を用いたが、これは説明の便宜上であり、装置は、基地局、方法は通信制御方法、メッセージ処理負荷の削減方法、シグナリング削減方法等であってもよい。
【０２１２】
さらに、上記基地局装置を構成する各構成部、例えばオペレータネットワーク通信機能部の種類、識別子変換処理などは前述した実施の形態に限られない。
【０２１３】
上記実施の形態では、本発明をハードウェアで構成する場合を例にとって説明したが、本発明はソフトウェアで実現することも可能である。
【０２１４】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２１５】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０２１６】
さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適用等が可能である。
【産業上の利用可能性】
【０２１７】
本発明の基地局装置及び基地局装置の通信方法は、特にローカルネットワーク内に小型基地局装置が複数設置される場合に有用である。
【符号の説明】
【０２１８】
１０  ローカルネットワーク
２０，３０  オペレータネットワーク
２６  PDN
１００  Parent HeNB（基地局装置）
１１０  オペレータネットワーク通信機能部
１２０  オペレータネットワーク代理機能部
１３０  パラメータ管理機能部
１４０  識別子変換機能部
１５０  スイッチ設定機能部
２００  Clone HeNB（他基地局装置）
２１０  Clone HeNBインタフェース
【図１】
0005831854.tif 000002
【図２】
0005831854.tif 000003
【図３】
0005831854.tif 000004
【図４】
0005831854.tif 000005
【図５】
0005831854.tif 000006
【図６】
0005831854.tif 000007
【図７】
0005831854.tif 000008
【図８】
0005831854.tif 000009
【図９】
0005831854.tif 000010
【図１０】
0005831854.tif 000011
【図１１】
0005831854.tif 000012
【図１２】
0005831854.tif 000013
【図１３】
0005831854.tif 000014